(57)【要約】【課題】吊り上げ吊り下げや移動の途中で石材が落下する現象を生じにくくする、石材クランプ用の圧接パッド、およびこの圧接パッドを用いた石材クランプを提供する。【解決手段】石材クランプの一対の挟み込み面にそれぞれ装着される圧接パッド１であって、横方向に延びる溝２を少なくとも一段形成した、石材クランプ用の圧接パッドとした。このとき、横方向に延びる溝２を多数段形成するとともに、これに加えて、縦方向に延びる溝３を多数列形成した、石材クランプ用の圧接パッド１とすることが好ましい。【選択図】図２
0003159912.tif 000002
【実用新案登録請求の範囲】
【請求項１】
石材クランプの一対の挟み込み面にそれぞれ装着される圧接パッドであって、
横方向に延びる溝を少なくとも一段形成した、石材クランプ用の圧接パッド。
【請求項２】
横方向に延びる溝を多数段形成するとともに、
これに加えて、縦方向に延びる溝を多数列形成した、
請求項１記載の石材クランプ用の圧接パッド。
【請求項３】
溝の形状が側面視でＶ字形であり、
Ｖ字形の溝の角度が５０〜７０度である、
請求項１又は２記載の石材クランプ用の圧接パッド。
【請求項４】
請求項１〜３何れか記載の石材クランプ用の圧接パッドを備えた、
石材クランプ。
【考案の詳細な説明】
【技術分野】
【０００１】
本考案は、石材や方形角材等の方形重量物の吊り上げ、吊り下げ及び移動作業に使用する石材クランプ、およびこれに用いる石材クランプ用の圧接パッドに関する。
【背景技術】
【０００２】
石塀等を構築する際に石材を移動、積み上げたり、その他の方形重量物の移動、積み上げに使用する石材クランプは種々知られており、例えば、下記特許文献１や特許文献２に記載されたものがある。
【０００３】
例えば、特許文献１には、「吊り上げフック等に架けた状態のまま吊り荷の大きさに応じた幅位置調整ができるように、アームの固定金具を備えた交差するアームの中心支持穴位置を一箇所に固定し、アームの片側に設けたスライドバーの間を圧着板保持金具が移動できるようにして、吊り荷の大きさに応じたクランプ幅位置の調整が簡単にできるようにした構造。」が記載されている。
【先行技術文献】
【特許文献】
【０００４】
【特許文献１】特開２００６−２９０６１２号公報
【特許文献２】特開平８−１８８３７２号公報
【考案の概要】
【考案が解決しようとする課題】
【０００５】
しかし、このような従来の石材クランプを使用する場合、石材表面の状態によっては、吊り上げ吊り下げや移動の途中で石材が落下してしまうことがあった。この現象は、石材表面が平滑で、かつ濡れている場合に発生しやすかった。
【０００６】
本考案は、上述の事柄に留意してなされたものであって、石材表面が濡れている場合であっても、吊り上げ吊り下げや移動の途中で石材が落下する現象を生じにくくする、石材クランプ用の圧接パッド、およびこの圧接パッドを用いた石材クランプを提供することを目的とする。
【課題を解決するための手段】
【０００７】
上記課題を解決するために、本発明である石材クランプ用の圧接パッドは、石材クランプの一対の挟み込み面にそれぞれ装着される圧接パッドであって、横方向に延びる溝を少なくとも一段形成した構成とした。ここで、「石材クランプ」には石材の吊り上げ、吊り下げ及び移動作業に使用するクランプだけでなく、方形角材等の吊り上げ、吊り下げ及び移動作業に使用するクランプも含まれる。
【０００８】
この石材クランプ用の圧接パッドは、横方向に延びる溝を少なくとも一段形成したため、石材表面が平滑で、かつ濡れている場合であっても、吊り上げ吊り下げや移動の途中で石材が落下しにくい。
【０００９】
横方向に延びる溝を多数段形成するとともに、これに加えて、縦方向に延びる溝を多数列形成した、石材クランプ用の圧接パッドとすることができる。
【００１０】
この石材クランプ用の圧接パッドは、石材表面が平滑で、かつ濡れている場合であっても、吊り上げ吊り下げや移動の途中で、より一層石材が落下しにくい。
【００１１】
溝の形状が側面視でＶ字形であり、Ｖ字形の溝の角度が５０〜７０度である、石材クランプ用の圧接パッドとすることもできる。
【００１２】
この石材クランプ用の圧接パッドは、より一層石材が落下しにくくなる。
【００１３】
また、上記課題は、これら何れかの石材クランプ用の圧接パッドを備えた、石材クランプによっても解決される。
【考案の効果】
【００１４】
本考案により、石材表面が濡れている場合であっても、吊り上げ吊り下げや移動の途中で石材が落下する現象を生じにくくする、石材クランプ用の圧接パッド、およびこの圧接パッドを用いた石材クランプを提供することができる。
【図面の簡単な説明】
【００１５】
【図１】第一実施形態の石材クランプ用の圧接パッドを示す斜視図である。
【図２】第二実施形態の石材クランプ用の圧接パッドを示す斜視図である。
【図３】図２のＰ部を拡大した拡大側面図である。
【図４】石材クランプ用の圧接パッドの使用状態を示す写真である。
【考案を実施するための形態】
【００１６】
以下、図を用いて本考案の石材クランプ用の圧接パッドを例示説明する。
【００１７】
本考案である石材クランプ用の圧接パッドは、石材クランプの一対の挟み込み面にそれぞれ装着される圧接パッドであって、横方向に延びる溝を少なくとも一段形成したという基本構成である。
【００１８】
まず、図１を用いて、第一実施形態の石材クランプ用の圧接パッド１を説明する。なお、以下の実施形態はあくまで本考案を例示説明するものであって、本考案は、以下の具体的な実施形態に限定されるものではない。
【００１９】
［第一実施形態の石材クランプ用の圧接パッド］
本第一実施形態の石材クランプ用の圧接パッド１は、ウレタン樹脂をベースとした厚目の板状体であり、横方向に延びる溝２が上下二段形成されている。また、上下二段の溝は、それぞれ幅広であり、その形状は側面視で台形形状である（Ｖ字形とは異なる）。
【００２０】
本圧接パッド１は、石材クランプの一対の挟み込み面にそれぞれ装着される。装着方法は特に制限されず、接着剤やネジ等を用いるこができる。
【００２１】
本第一実施形態の石材クランプ用の圧接パッド１には、上下二段の横方向に延びる溝２が形成されているため、これらの溝による排水効果などにより、石材表面が平滑で、かつ濡れている場合であっても、吊り上げ吊り下げや移動の途中で石材が落下しにくい。
【００２２】
［第二実施形態の石材クランプ用の圧接パッド］
次に、図２および図３を用いて、第二実施形態の石材クランプ用の圧接パッド１を説明する。図２において、横方向に延びる溝２と縦方向に延びる溝３はそれぞれ複数設けられているが、それぞれ代表する１カ所にのみ符号を付してある。なお、先述した第一実施形態と同様の構成要素については同一の符号を付し、原則としてその説明を省略する。
【００２３】
本第二実施形態の石材クランプ用の圧接パッド１は、横方向に延びる溝２を多数段形成するとともに、これに加えて、縦方向に延びる溝３を多数列形成した点に特徴がある。これにより、圧接パッド１の表面には、矩形形状の突起が整列状態で多数形成されることとなる。また、溝（２，３）の形状が側面視でＶ字形であり、Ｖ字形の溝の角度が５０〜７０度である点にも特徴がある。
【００２４】
具体的には、図２に示すように、横方向に延びる溝２は１３段形成され、縦方向に延びる溝３は１７列形成されている。また、図３に示すように、横方向に延びる溝２（１３段）は、何れも側面視でＶ字形であり、このＶ字形の溝の角度θは概ね６０度となっている。なお、縦方向に延びる溝３（１７列）も同様に、何れも側面視でＶ字形であり溝の角度θは概ね６０度となっている。
【００２５】
本圧接パッド１も、石材クランプの一対の挟み込み面にそれぞれ装着される。装着方法は特に制限されず、接着剤やネジ等を用いるこができる。図４（写真４）に圧接パッド１の使用状態を示す。本図の例では、ネジを用いて、圧接パッド１を石材クランプ９の一対の挟み込み面91にそれぞれ装着してある。
【００２６】
本第二実施形態の石材クランプ用の圧接パッド１は、多数の溝（２，３）によって排水効果などが増強され、石材８の表面が平滑で、かつ濡れている場合であっても、吊り上げ吊り下げや移動の途中で、より一層石材が落下しにくい。
【００２７】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【符号の説明】
【００２８】
１      圧接パッド
２      横方向に延びる溝
３      縦方向に延びる溝
θ      溝の角度
８    石材
９    石材クランプ
91    挟み込み面
【図１】
0003159912.tif 000003
【図２】
0003159912.tif 000004
【図３】
0003159912.tif 000005
【図４】
0003159912.tif 000006